(57)【要約】【課題】電池室蓋の開を摺動と回転で行なう構成にあって、電池蓋を開状態に保持している際に、摺動動作を行なえないようにする。【解決手段】電池室蓋の開を摺動と回転で行なう構成にあって、電池室蓋の回転軸の一部に摺動方向と略並行面で構成されるカット部を設ける。【選択図】　　　図３
2004055282.tif 000002
【特許請求の範囲】
【請求項１】
電子機器を駆動させる電池を収納可能な電池収納室と閉状態では前記電池収納室を覆うとともに、摺動操作後、回転操作により前記電池収納室を開状態にする電池室蓋とを有する電池収納装置において、前記電池室蓋の回転操作状態で前記電池室蓋は摺動状態を保持する保持機能を有することを特徴とする電池収納装置。
【請求項２】
前記電池室蓋は回転軸を有し、前記回転軸の軸形状の一部には前記摺動操作方向に略平行方向にカットされたカット部が設けられ、前記電池室蓋を保持する電池収納室には前記カット部に対向した位置に摺動方向と略平行方向になる平面が設けられることを特徴とする請求項１に記載の電池収納装置。
【請求項３】
前記電池室蓋には前記回転軸を保持する軸保持部を有し、前記軸保持部は前記電池室蓋の開方向の回転角を規制することを特徴とする請求項１又は２に記載の電池収納装置。
【請求項４】
前記電子機器は写真撮影を行うカメラに搭載され、該カメラは前記電池収納室及び前記電池室蓋を前記カメラの前面及び側面に渡るフイルム収納室に接する領域に配置されたことを特徴とする請求項１又は２又は３に記載の電池収納装置。
【請求項５】
電子機器を駆動させる電池を収納可能な電池収納室と閉状態では前記電池収納室を覆うとともに、摺動操作後、回転操作により前記電池収納室を開状態にする電池室蓋とを有する電池収納装置において、
前記電池室蓋は回転軸を有し、前記回転軸の軸形状の一部には前記摺動操作方向に略平行方向にカットされたカット部が設けられ、前記電池室蓋を保持する電池収納室には前記カット部に対向した位置に摺動方向と略平行方向になる平面と該平面の延長部には前記軸形状に対応して回転を行なわせるための軸保持部を有することを特徴とする電池収納装置。
【発明の詳細な説明】
【０００１】
【発明の属する技術分野】
本発明は電子機器の電池収納装置に関するもので、特に電池蓋の開閉機構の改良に関するものである。
【０００２】
【従来の技術】
従来、電子機器に使用される電池は着脱が可能で、その着脱時にはその電子機器個々の電池収納室があり、その電池収納室を覆う電池室蓋がある。この電池室収納及び電池室蓋の構成及び開閉機構は様々な構成が提案されている。電池着脱時に電池室蓋を開けると電池室蓋が電子機器から着脱されてしまうものや、回転軸が電池室蓋に設けられ、その回転軸を中心として回転して開閉されるものもある。また、前記のように回転軸中心にのみ開閉するものは、回転軸部分が外観上に露出され、電子機器から突出してしまったり、回転軸部分が大きくなり見栄えの悪いものになり勝ちであった。そこで、特公平０７−０１６１０７号広報では、電池室蓋を最初に閉状態からスライド操作させて、次に回転操作をさせて開状態にするものが提案されている。
【０００３】
図７、図８、図９は電子機器筐体の一例を示したものである。１は小形電子機器筐体で、この筐体１は周側面で二分割された本体２ａと本体２ｂ及び電池蓋３とから成り、本体２ａ及び本体２ｂはネジにより組立てられ本体内に電池収納部４と電子部品収納部５とを有する。６は電池蓋３の一方端に設けた回転軸で、両端部は回転軸６の両側から嵌合一体化した本体２ａ及び本体２ｂの内面対応位置に設けた長溝７と嵌合しスライド回転自在に取付けられている。８は収納部４に収納した小形電池、９は電池収納部４底面に設けたバネで、コイルスプリング又は板バネが用いられ、常時、開口部側へ付勢され、開蓋時には電池８の−極側と接触し＋極側が外部へ突出するように構成されている。１０は電池蓋３の開閉端部内側に設けた爪状の保持部、１１は電池蓋３の開閉端部側の本体２ａ又は本体２ｂ内壁に設けた引留爪で、電池蓋３の保持部１０と係合して電池蓋３を閉じることができる。
【０００４】
１２は電池蓋３内面に設けた接続端子で、電池８端部と接触すると共に端部に電子機器へ電力を供給するための接触子１３を有する。
【０００５】
【発明が解決しようとする課題】
しかし、上記の従来例では電池蓋をスライドさせ回転して開けた後に、スライド状態が保持されるわけではないので、電池蓋を閉状態の時の位置へスライドさせた状態で電池蓋を回転させて閉めようとする動作を行なってしまう場合がある。すると、電池蓋は閉まらずに再度、スライド位置を戻してから引留爪１１を保持部１０に係合させ閉状態にすることになり操作性の悪いものになってしまう。また、前述のような問題を無くす為に、電池蓋をスライドさせてから回転して開閉するタイプの場合、スライドをした後にスライド操作がしにくくなるようなロック機構を設ける場合が一般的である。しかし、その為にロック機構の為に部品が必要になってしまうという欠点もあった。
【０００６】
また、従来例の特公平０７−０１６１０７号広報のような場合、図９のように電池蓋３をストッパー位置まで開けて、更に開方向に操作をすると電池蓋３の回転軸６に剪断力が働き、軸が破壊してしまうことがある。また、その対応策として回転軸６を太くすると回転の中心が筐体１の内部に移動する為、スライド量を多くし電池蓋３が大きく開くように考慮する必要がある。つまり、回転軸を太くすればするほど電池を取り出しに必要な電池蓋の回転角を確保する為に多くのスペースが必要になる。そうすると電池室の構成部が大きくなってしまうという欠点があった。
【０００７】
【課題を解決するための手段】
上記課題を解決するために、本発明の請求項１では、電子機器を駆動させる電池を収納可能な電池収納室と閉状態では前記電池収納室を覆うとともに、摺動操作後、回転操作により前記電池収納室を開状態にする電池室蓋とを有する電池収納装置において、前記電池室蓋の回転操作状態で前記電池室蓋は摺動状態を保持する保持機能を設け、また請求項５では、電子機器を駆動させる電池を収納可能な電池収納室と閉状態では前記電池収納室を覆うとともに、摺動操作後、回転操作により前記電池収納室を開状態にする電池室蓋とを有する電池収納装置において、前記電池室蓋は回転軸を有し、前記回転軸の軸形状の一部には前記摺動操作方向に略平行方向にカットされたカット部が設けられ、前記電池室蓋を保持する電池収納室には前記カット部に対向した位置に摺動方向と略平行方向になる平面と該平面の延長部には前記軸形状に対応して回転を行なわせるための軸保持部を有する構成としているので、電池室蓋が回転状態ではスライド操作が出来ないようになっているので、必ず回転操作を行なった後でないとスライド操作が出来ない。従って、電池室蓋を不用意にスライドさせた後に回転させ閉まらず、再度スライドさせて回転させてからスライドし直すという操作性の不具合が無くなる。また、開状態の時に従来のようなスライド操作を規制する部品を追加することなく、この機能を実現することが出来る。
【０００８】
本発明の請求項２では、電池室蓋の回転軸の軸形状の一部に前記摺動操作方向に略平行方向にカットされたカット部を設けたことで、回転操作中つまり電池蓋の開状態の時にはスライド状態を保持することが部品を追加することなく実現することができる。
【０００９】
本発明の請求項３では、電池室蓋には前記回転軸を保持する軸保持部を設けてその軸保持部を開方向の回転の規制にすることにより、開状態でも回転軸に負荷がかかることが無く、電池室蓋が容易に壊れることを防止することができる。
【００１０】
本発明の請求項４では、電子機器はカメラであることによりカメラがよりコンパクトにすることができる。
【００１１】
【発明の実施の形態】
図１及び図２は本発明の電池収納装置を備えたカメラである。図１は電池室蓋が閉じられている状態のカメラの斜視図である。２１はカメラの前側を覆う前カバー、２２はカメラの後ろ側を覆う後カバー、２３は電池室蓋である。図２は電池室蓋の開操作を示した図である。電池室蓋２３は先ず（ａ）の矢印Ａの方向にスライドさせ、（ｂ）の矢印Ｂ方向に回転させ電池２４を電池収納室２５から取り出す。
【００１２】
図６は本発明の電池室蓋の側面図である。電池室蓋２３は回転軸２３ａが電池室蓋２３の両側２箇所に設けられている。回転軸２３ａは円形部２３ａ１と（円形部＋直線部）２３ａ２とに分かれている。（円形部＋直線部）２３ａ２は以下Ｄ形状部と称する。この回転軸２３ａは保持部２６を土台として設けられている。２７は電池室蓋２３を閉時にカメラ本体に引っ掛ける為の爪部である。
図３は本発明の電池収納室の電池室蓋閉状態の断面図を示している。
【００１３】
前カバー２１及び後カバー２２はカメラの前後からカメラを覆う外観部材であり、電池収納室２５の後部は後カバー２２で覆われ、前側は電池室蓋２３で覆われている。また、２８は前カバー２１の内側を覆うように配置された内カバーである。
【００１４】
電池室蓋２３は前述のように回転軸２３ａを両端に１箇所づつ設けられており、電池室蓋２３の閉状態では回転軸２３のＤ形状部２３ａ２は図中上側からは前カバー２１の内面と下側からは電池収納室２５のフラット部２５ａである一定の隙間を持って挟まれている。従って、電池蓋２３は角度がほとんど変わらないままスライドする。また、この状態では爪部２７は内カバー２８の穴部２８ａに入り込むようになっているので、電池室蓋２３は固定される。
【００１５】
また、電池室蓋２３を閉状態に保持する為及び電池室蓋２３が閉状態になったことを操作感で認識できるようにクリック感を与え、且つ電池室蓋を閉状態で保持する保持構成がある。この保持構成についての説明を行なう。図１０は本発明の電池室蓋の側面図である。２３ｃは円弧状突起で、電池室蓋２３の上下の端部の２箇所に突出して設けられている。また、この円弧状突起２３ｃは外観側に見えないように電池室蓋の板厚よりも薄く、板厚の内面側に寄っている。
【００１６】
次に、図１１において電池室蓋のクリック感及び電池室蓋閉状態の保持構成についての説明を行なう。前記の円弧状突起２３ｃと対向した位置の前カバー２１には、円弧状ザグリ部２１ａと台形ザグリ部２１ｂとが設けてある。図１１のａ）は電池室蓋２３が閉状態を示し、ｂ）は電池室蓋２３をスライドさせた状態を示している。図１１のａ）では前記の円弧状突起２３ｃが円弧状ザグリ部２１ａに入り込んでおり、円弧状突起２３ｃは円弧状ザグリ部２１ａに左側で当接し、その状態が保持されている。そして、電池室蓋２３を矢印Ｄの方向にスライドさせようとすると円弧状突起２３ｃは突部２１ａにスライドを阻止される。従って、電池室蓋２３の位置はその状態が保持される。
【００１７】
しかし、更に強い力で電池室蓋２３をＤ方向に動かそうとすると、電池室蓋２３が変形し円弧状突起２３ｃは突起部２１ｃを乗り越え、図１１ｂ）の状態になる。つまり、円弧状突起２３ｃは台形ザグリ部２１ｂの領域に入る。円弧状突起２３ｃが台形ザグリ部２１ｂに入る位置までスライドすると、電池室蓋２３の爪部２７が穴部２８ａから抜け出る。
【００１８】
また、電池室蓋２３を閉める時は上記の逆の状態になり、図１１ｂ）からａ）の状態に戻ることになる。つまり、電池室蓋２３の円弧状突起２３ｃが矢印Ｄとは逆方向に移動して、突起部２１ｃを乗り越えて台形ザグリ部２１ｂの領域から円弧状ザグリ部２１ａに移動する。
【００１９】
このように、電池室蓋２３の円弧状突起２３ｃが突起部２１ｃを乗り越えて円弧状ザグリ部２１ａと台形ザグリ部２１ｂとの間を移動する時に、開閉時の操作の負荷変動の感触が手に伝わり、電池室蓋２３の開閉の感触がユーザーに伝わることになる。
【００２０】
次に、図４は本発明の電池収納室の電池室蓋スライド状態の断面図を示している。図４は図３に対して電池室蓋２３を矢印Ｃ方向にスライドさせた状態の図である。電池室蓋２３の回転軸２３ａは電池収納室２５のフラット部２５ａから抜け、電池収納室２５の半円ザグリ部２５ｂに入り込む。従って、回転軸２３ａでの回転の制約はなくなる。
【００２１】
また、この状態では爪部２７は内カバー２８の穴部２８ａから抜け出すこともあり、電池室蓋２３は回転が自由になる。
【００２２】
次に、電池室蓋２３を回転させ開状態になった場合についての説明を行なう。図５は本発明の電池収納室の電池室蓋開状態の断面図である。前述のように回転が可能になった電池室蓋２３は図中反時計回りに回転し図５のような状態になった時に電池室蓋２３の外観面２３ｂと後カバー２２の端部２２ａとが当接し、また電池室蓋２３の保持部２６の端部２６ａと電池収納室２５のザグリ部２５ｃとが当接することにより、電池室蓋２３の回転が止められる。この当接状態により、回転軸２３ａの外周には半円ザグリ部２５ｂとの隙間が出来ているので、回転軸に開状態では当接する面が無い。従って、電池室蓋２３を更に反時計方向に回そうとしても軸に負荷はかからず、回転軸２３ａは破損することが無い。一般的には、回転軸２３の軸形はそれほど太く出来ないので、破損する可能性が高い。しかし、このような構成により、当接面を回転軸とは違う断面積の大きく取れる外観部に設けることで、電池室蓋の破損する可能性を低くすることができる。
【００２３】
次に、本発明の電池収納室をカメラに使用した場合の配置についての説明を行う。図１２は本発明の電池収納室を用いたカメラの横断面概略図を示している。３０はレンズ鏡筒で、３１はフイルムパトローネ（未図示）を収納するための、パトローネ室、３２はフイルムを巻き付けるスプール、３３はスプール３２に巻き付けたフイルムを収納するスプール室である。電池２４はカメラの右側面と前面とに渡る角部に配置されており、電池収納室２５及び電池室蓋２３も同様に右側面と前面とに渡る角部に設けられている。このようにカメラの角部に設けられることで、カメラの大きさをコンパクトにすることができる。
【００２４】
【発明の効果】
本発明の請求項１、及び５では電池室蓋がスライド操作及び回転操作により開状態となるものにおいて、電池室蓋が回転状態ではスライド操作が出来ないようになっているので、必ず回転操作を行なった後でないとスライド操作が出来ない。従って、電池室蓋を不用意にスライドさせた後に回転させ閉まらず、再度スライドさせて回転させてからスライドし直すという操作性の不具合が無くなる。また、開状態の時に従来のようなスライド操作を規制する部品を追加することなく、この機能を実現することが出来る。
【００２５】
本発明の請求項２、及び５では、電池室蓋の回転軸の軸形状の一部に前記摺動操作方向に略平行方向にカットされたカット部を設けたことで、回転操作中つまり電池蓋の開状態の時にはスライド状態を保持することが部品を追加することなく実現することができる。
【００２６】
本発明の請求項３において、電池室蓋には前記回転軸を保持する保持部を設けてその保持部を開方向の回転の規制にすることにより、開状態でも回転軸に負荷がかかることが無く、電池室蓋が容易に壊れることを防止することができる。
【００２７】
本発明の請求項４では、各請求項に記載の電子機器はカメラであることによりカメラがよりコンパクトにすることができる。
【図面の簡単な説明】
【図１】本発明の電池収納装置を備えたカメラ
【図２】本発明の電池収納装置を備えたカメラの電池室蓋の操作状態を表す斜視図
【図３】本発明の電池収納室の電池室蓋閉状態の断面図
【図４】本発明の電池収納室の電池室蓋スライド状態の断面図
【図５】本発明の電池収納室の電池室蓋開状態の断面図
【図６】本発明の電池室蓋の背面図
【図７】従来の電池収納室の分解斜視図
【図８】従来の電池収納室の電池室蓋の閉状態の断面図
【図９】従来の電池収納室の電池室蓋の開状態の断面図
【図１０】本発明の電池室蓋の側面図
【図１１】本発明の電池室蓋のクリック部詳細図
【図１２】本発明の電池収納室を用いたカメラの横断面概略図
【符号の説明】
２１　前カバー
２１ａ　円弧状ザグリ部
２１ｂ　台形ザグリ部
２１ｃ　突起部
２２　後カバー
２２ａ　端部
２３　電池室蓋
２３ａ　回転軸
２３ａ１　円形部
２３ａ２　Ｄ形状部
２３ｂ　外観面
２３ｃ　円弧状突起
２４　電池
２５　電池収納室
２５ａ　フラット部
２５ｂ　半円ザグリ部
２６　保持部
２６ａ　端部
２７　爪部
２８　内カバー
２８ａ　穴部
３０　レンズ鏡筒
３１　パトローネ室
３２　スプール
３３　スプール室
【図１】
2004055282.tif 000003
【図２】
2004055282.tif 000004
【図３】
2004055282.tif 000005
【図４】
2004055282.tif 000006
【図５】
2004055282.tif 000007
【図６】
2004055282.tif 000008
【図７】
2004055282.tif 000009
【図８】
2004055282.tif 000010
【図９】
2004055282.tif 000011
【図１０】
2004055282.tif 000012
【図１１】
2004055282.tif 000013
【図１２】
2004055282.tif 000014